(57)【要約】      （修正有）【課題】地域を限定して提供されるコンテンツを適切に受信する。【解決手段】放送局２の放送波を受信する放送波受信部、放送局管理サーバ３（第１の情報配信装置）、およびＩＰ通信網１０を介して放送局２が提供するコンテンツを配信する放送局ポータルサーバ４（第２の情報配信装置）と通信する通信部、自己の位置情報、放送局の放送波の周波数情報、および自装置における放送局２の放送波の受信状況を示す情報を記憶する登録情報記憶部、放送局管理サーバ３に対し、自己の位置情報を送信し、放送局管理サーバ３から受信した周波数テーブルに基づいて放送局２または放送局ポータルサーバ４のいずれかをコンテンツの取得先として決定してコンテンツを取得する受信装置５とする。【選択図】図１
2011223417.tif 000002
【特許請求の範囲】
【請求項１】
情報受信装置、第１の情報配信装置、および第２の情報配信装置を備える情報配信システムにおいて、
上記情報受信装置は、
放送局の放送波を受信する放送波受信部と、
上記第１の情報配信装置、および上記放送局の放送波とは異なる他の通信媒体を介して上記放送局が提供する情報を配信する上記第２の情報配信装置と通信する通信部と、
自己の位置情報を記憶する登録情報記憶部と、
上記第１の情報配信装置に対し、上記通信部を介して上記登録情報記憶部に記憶された自己の位置情報を送信し、送信した位置情報に応じて上記第１の情報配信装置から送信される上記放送局の周波数情報が含まれた情報を上記登録情報記憶部に記憶する周波数情報取得部と、
上記放送波受信部で受信する周波数を指定する周波数指定部と、
上記周波数指定部により指定された周波数が上記登録情報記憶部に記憶されている周波数情報に含まれているか否かを判定する周波数有無判定部と、
上記周波数有無判定部の判定結果に基づいて上記放送局または上記第２の情報配信装置のいずれかを上記情報の取得先として決定する情報取得先決定部と、
上記情報取得先決定部で決定した取得先に基づいて、上記放送局から上記放送波受信部を介して情報を取得する、または上記第２の情報配信装置から上記通信部を介して情報を取得する情報取得部と、
を備え、
上記第１の情報配信装置は、
上記情報受信装置の位置情報を受信する受信部と、
上記受信部で受信した上記情報受信装置の位置情報に基づいて上記放送局の周波数情報が含まれた情報を上記情報受信装置へ送信する周波数情報送信部と、
を備え、
上記第２の情報配信装置は、
上記放送局が提供する上記情報が記憶される情報記憶部と、
上記情報受信装置の情報取得部より上記情報の取得要求を受信した場合に、上記放送局の受信状況に基づいて上記情報の配信可否を判定する配信可否判定部と、
上記配信可否判定部の判定に基づいて、上記情報記憶部に記憶されている情報を、上記情報受信装置に対して提供する情報提供部と、
を備えることを特徴とする情報配信システム。
【請求項２】
放送局の放送波を受信する放送波受信部と、
第１の情報配信装置、および上記放送局の放送波とは異なる他の通信媒体を介して上記放送局が提供する情報を配信する第２の情報配信装置と通信する通信部と、
自己の位置情報を記憶する登録情報記憶部と、
上記第１の情報配信装置に対し、上記通信部を介して上記登録情報記憶部に記憶された自己の位置情報を送信し、送信した位置情報に応じて上記第１の情報配信装置から送信される上記放送局の周波数情報が含まれた情報を上記登録情報記憶部に記憶する周波数情報取得部と、
上記放送波受信部で受信する周波数を指定する周波数指定部と、
上記周波数指定部により指定された周波数が上記登録情報記憶部に記憶されている周波数情報に含まれているか否かを判定する周波数有無判定部と、
上記周波数有無判定部の判定結果に基づいて上記放送局または上記第２の情報配信装置のいずれかを上記情報の取得先として決定する情報取得先決定部と、
上記情報取得先決定部で決定した取得先に基づいて、上記放送局から上記放送波受信部を介して情報を取得する、または上記第２の情報配信装置から上記通信部を介して情報を取得する情報取得部と、
を備えることを特徴とする情報受信装置。
【請求項３】
請求項２に記載の情報受信装置であって、
前記情報取得先決定部は、
前記周波数有無判定部の判定結果が前記周波数指定部により指定された周波数が上記登録情報記憶部に記憶されている周波数情報に含まれている場合には、当該周波数情報および前記自己の位置情報を前記第１の情報配信装置へ送信し、前記第１の情報配信装置からの応答情報に基づいて上記放送局または上記第２の情報配信装置のいずれかを上記情報の取得先として決定することを特徴とする情報受信装置。
【請求項４】
放送波受信部、通信部、登録情報記憶部、周波数情報取得部、周波数指定部、周波数有無判定部、情報取得先決定部、および情報取得部を備える情報受信装置が実行する情報受信方法において、
上記登録情報記憶部が、自己の位置情報、上記放送局の放送波の周波数情報、ならびに自装置における上記放送局の放送波の受信状況を示す情報を記憶する登録情報記憶ステップと、
上記周波数情報取得部が、第１の情報配信装置に対し、上記通信部を介して上記登録情報記憶部に記憶された自己の位置情報を送信し、送信した位置情報に応じて上記第１の情報配信装置から送信される上記放送局の周波数情報が含まれた情報を上記登録情報に記憶する周波数情報取得ステップと、
上記周波数指定部が、上記放送波受信部で受信する周波数を変更する周波数変更ステップと、
上記周波数有無判定部が、上記周波数指定部により受信する周波数が変更となった場合に、変更後の周波数が上記登録情報記憶部に記憶されている周波数情報に含まれているか否かを判定する周波数有無判定ステップと、
上記情報取得先決定部が、上記周波数有無判定ステップの判定結果に基づいて上記放送局または上記放送局の放送波とは異なる他の通信媒体を介して上記放送局が提供する情報を配信する第２の情報配信装置のいずれかを上記情報の取得先として決定する情報取得先決定ステップと、
上記情報取得部が、上記情報取得先決定ステップで決定された取得先に基づいて、上記放送局から上記放送波受信部を介して情報を取得する、または上記第２の情報配信装置から上記通信部を介して情報を取得する取得ステップと、
を備えることを特徴とする情報受信方法。
【請求項５】
コンピュータを、
放送局の放送波を受信する放送波受信手段と、
第１の情報配信装置、および上記放送局の放送波とは異なる他の通信媒体を介して上記放送局が提供する情報を配信する第２の情報配信装置と通信する通信手段と、
自己の位置情報を記憶する登録情報記憶手段と、
上記第１の情報配信装置に対し、上記通信部を介して上記登録情報記憶部に記憶された自己の位置情報を送信し、送信した位置情報に応じて上記第１の情報配信装置から送信される上記放送局の周波数情報が含まれた情報を上記登録情報に記憶する周波数情報取得手段と、
上記放送波受信部で受信する周波数を変更する周波数変更手段と、
上記周波数指定部により受信する周波数が変更となった場合に、変更後の周波数が上記登録情報記憶部に記憶されている周波数情報に含まれているか否かを判定する周波数有無判定手段と、
上記周波数有無判定部の判定結果に基づいて上記放送局または上記第２の情報配信装置のいずれかを上記情報の取得先として決定する情報取得先決定手段と、
上記情報取得先決定部で決定した取得先に基づいて、上記放送局から上記放送波受信部を介して情報を取得する、または上記第２の情報配信装置から上記通信部を介して情報を取得する情報取得手段、
として機能させるためのプログラム。
【請求項６】
請求項２または３に記載の情報受信装置の位置情報を受信する受信部と、
上記受信部で受信した上記情報受信装置の位置情報に基づいて放送局の周波数情報が含まれた情報を上記情報受信装置へ送信する周波数情報送信部と、
を備えることを特徴とする情報配信装置。
【請求項７】
請求項６に記載の情報配信装置であって、
前記情報受信装置より送信された前記位置情報および前記周波数情報に基づいて前記放送局に対応する第２の情報配信装置を特定する情報配信装置特定部と、
上記情報配信特定部で特定された上記第２の情報配信装置の接続情報を前記情報受信装置へ送信する接続情報送信部と、
を備えることを特徴とする情報配信装置。
【請求項８】
放送局の放送波とは異なる他の通信媒体を介して上記放送局が提供する情報を請求項２または３に記載の情報受信装置へ配信する情報配信装置であって、
上記放送局が提供する上記情報が記憶される情報記憶部と、
上記情報受信装置より上記情報の取得要求を受信した場合に、当該情報受信装置の上記放送局の受信状況に基づいて上記情報の配信可否を判定する配信可否判定部と、
上記配信可否判定部の判定に基づいて、上記情報記憶部に記憶されている情報を、上記情報受信装置に対して提供する情報提供部と、
を備えることを特徴とする情報配信装置。
【請求項９】
情報受信装置、第１の情報配信装置、および第２の情報配信装置を備える情報配信システムにおいて、
上記情報受信装置は、
放送局の放送波を受信する放送波受信部と、
上記第１の情報配信装置、および上記放送局の放送波とは異なる他の通信媒体を介して上記放送局が提供する情報を配信する上記第２の情報配信装置と通信する通信部と、
自己の位置情報を記憶する登録情報記憶部と、
上記第１の情報配信装置に対し、上記通信部を介して上記登録情報記憶部に記憶された自己の位置情報を送信し、送信した位置情報に応じて上記第１の情報配信装置から送信される上記放送局の周波数情報が含まれた情報を上記登録情報記憶部に記憶する周波数情報取得部と、
上記放送波受信部で受信する周波数を指定する周波数指定部と、
上記周波数指定部により指定された周波数が上記登録情報記憶部に記憶されている周波数情報に含まれているか否かを判定する周波数有無判定部と、
上記周波数有無判定部の判定結果に基づいて上記放送局または上記第２の情報配信装置のいずれかを上記情報の取得先として決定する情報取得先決定部と、
上記情報取得先決定部で決定した取得先に基づいて、上記放送局から上記放送波受信部を介して情報を取得する、または上記第２の情報配信装置から上記通信部を介して情報を取得する情報取得部と、
を備え、
上記第１の情報配信装置は、
上記情報受信装置の位置情報を受信する第１の受信部と、
上記第１の受信部で受信した上記情報受信装置の位置情報に基づいて上記放送局の周波数情報が含まれた情報を上記情報受信装置へ送信する周波数情報送信部と、
上記情報受信装置から送信された上記情報受信装置の位置情報および当該情報受信装置における上記放送局の放送波の周波数情報を受信する第２の受信部と、
上記第２の受信部で受信した位置情報および周波数情報に基づいて上記放送局に対応する上記第２の情報配信装置を特定する情報配信装置特定部と、
上記情報配信特定部で特定された上記第２の情報配信装置の接続情報を上記情報受信装置へ送信する接続情報送信部と、
上記第２の情報配信装置から送信された上記情報受信装置の位置情報、当該情報受信装置における上記放送局の放送波の周波数情報、および当該情報受信装置における上記放送局の放送波の受信状況を示す情報を受信する第３の受信部と、
上記第３の受信部で受信した情報に基づいて上記情報受信装置における上記放送局からの放送波の受信可否を判定する受信可否判定部と、
上記受信可否判定部の判定結果を上記第２の情報配信装置へ送信する受信可否判定結果送信部と、
を備え、
上記第２の情報配信装置は、
上記情報受信装置から送信された当該情報受信装置における上記放送局の放送波の周波数情報、および当該情報受信装置における上記放送局の放送波の受信状況を示す情報を上記第１の情報配信装置へ送信する第１の送信部と、
上記第１の送信部で送信した情報に対する上記第１の情報配信装置からの応答に基づいて上記第２の情報配信装置が提供する情報の配信可否を判定する配信可否判定部と、
上記配信可否判定部の判定結果を上記情報受信装置へ送信する第２の送信部と、
上記放送局が提供する上記情報が記憶される情報記憶部と、
上記情報記憶部に記憶されている情報を上記情報受信装置からの要求に応じて上記放送局の放送波とは異なる他の通信媒体を介して提供する情報提供部と、
を備えることを特徴とする情報配信システム。
【請求項１０】
請求項２または３に記載の情報受信装置の位置情報を受信する第１の受信部と、
上記第１の受信部で受信した上記情報受信装置の位置情報に基づいて上記放送局の周波数情報が含まれた情報を上記情報受信装置へ送信する周波数情報送信部と、
上記情報受信装置から送信された当該情報受信装置の位置情報および当該情報受信装置における放送局の放送波の周波数情報を受信する第２の受信部と、
上記第２の受信部で受信した位置情報および周波数情報に基づいて上記放送局に対応する第２の情報配信装置を特定する情報配信装置特定部と、
上記情報配信特定部で特定された上記第２の情報配信装置の接続情報を上記情報受信装置へ送信する接続情報送信部と、
上記第２の情報配信装置から送信された上記情報受信装置の位置情報、当該情報受信装置における上記放送局の放送波の周波数情報、および当該情報受信装置における上記放送局の放送波の受信状況を示す情報を受信する第３の受信部と、
上記第３の受信部で受信した情報に基づいて上記情報受信装置における上記放送局からの放送波の受信可否を判定する受信可否判定部と、
上記受信可否判定部の判定結果を上記第２の情報配信装置へ送信する受信可否判定結果送信部と、
を備えることを特徴とする情報配信装置。
【請求項１１】
請求項２または３に記載の情報受信装置から送信された当該情報受信装置における放送局の放送波の周波数情報、および当該情報受信装置における上記放送局の放送波の受信状況を示す情報を第１の情報配信装置へ送信する第１の送信部と、
上記第１の送信部で送信した情報に対する上記第１の情報配信装置からの応答に基づいて上記放送局の放送波とは異なる他の通信媒体を介して上記放送局が提供する情報を配信する第２の情報配信装置が提供する情報の配信可否を判定する配信可否判定部と、
上記配信可否判定部の判定結果を上記情報受信装置へ送信する第２の送信部と、
備えることを特徴とする情報配信装置。
【発明の詳細な説明】
【技術分野】
【０００１】
本発明は、情報配信システム、情報受信装置、情報受信方法、情報配信装置、およびプログラムに関する。
【背景技術】
【０００２】
インターネット等のＩＰ（Ｉｎｔｅｒｎｅｔ  Ｐｒｏｔｏｃｏｌ）通信網を介して放送を行う、いわゆるＩＰ放送において、放送局の放送対象範囲内にある地域のみにコンテンツを提供する技術が知られている（たとえば、特許文献１参照）。
【０００３】
特許文献１に開示される技術は、視聴者宅に設置されたセットトップボックスに備えられているＧＰＳ（Ｇｌｏｂａｌ  Ｐｏｓｉｔｉｏｎｉｎｇ  Ｓｙｓｔｅｍ）機能により検知された緯度情報/経度情報を当該セットトップボックスの地域情報としてサーバ側へ送信し、当該地域情報に基づいて予め備えられている動作地域テーブルを参照し、放送対象地域であるか否かの判定を実行し、放送局の放送対象範囲内であると判定した場合には当該セットトップボックスへ契約コンテンツの提供を行うものである。
【先行技術文献】
【特許文献】
【０００４】
【特許文献１】特開２００８−２８８８１４号公報（要約等）
【発明の概要】
【発明が解決しようとする課題】
【０００５】
しかしながら、特許文献１に開示される技術においては、サーバ側で保存されている情報が緯度情報/経度情報の場合には、一律に放送対象地域が判断される。したがって、サーバ側に保存されている緯度情報/経度情報で放送対象地域外に該当すると判定されると、実際の放送局の受信状況が良好である地域であってもＩＰ放送によるコンテンツを受信することができない。
【０００６】
そこで、本発明は、上述した課題に鑑み、地域を限定して提供されるコンテンツを適切に受信できる情報配信システム、情報受信装置、情報受信方法、情報配信装置、およびプログラムを提供することを目的とする。
【課題を解決するための手段】
【０００７】
本発明の一側面は、情報配信システムに係るものである。すなわち、情報受信装置、第１の情報配信装置、および第２の情報配信装置を備える情報配信システムにおいて、情報受信装置は、放送局の放送波を受信する放送波受信部と、第１の情報配信装置、および放送局の放送波とは異なる他の通信媒体を介して放送局が提供する情報を配信する第２の情報配信装置と通信する通信部と、自己の位置情報を記憶する登録情報記憶部と、第１の情報配信装置に対し、通信部を介して登録情報記憶部に記憶された自己の位置情報を送信し、送信した位置情報に応じて第１の情報配信装置から送信される放送局の周波数情報が含まれた情報を登録情報記憶部に記憶する周波数情報取得部と、放送波受信部で受信する周波数を指定する周波数指定部と、周波数指定部により指定された周波数が登録情報記憶部に記憶されている周波数情報に含まれているか否かを判定する周波数有無判定部と、周波数有無判定部の判定結果に基づいて放送局または第２の情報配信装置のいずれかを情報の取得先として決定する情報取得先決定部と、情報取得先決定部で決定した取得先に基づいて、放送局から放送波受信部を介して情報を取得する、または第２の情報配信装置から通信部を介して情報を取得する情報取得部と、を備え、第１の情報配信装置は、情報受信装置の位置情報を受信する受信部と、受信部で受信した情報受信装置の位置情報に基づいて放送局の周波数情報が含まれた情報を情報受信装置へ送信する周波数情報送信部と、を備え、第２の情報配信装置は、放送局が提供する情報が記憶される情報記憶部と、情報受信装置の情報取得部より情報の取得要求を受信した場合に、放送局の受信状況に基づいて情報の配信可否を判定する配信可否判定部と、配信可否判定部の判定に基づいて、情報記憶部に記憶されている情報を、情報受信装置に対して提供する情報提供部と、を備えることを特徴とする情報配信システムである。
【０００８】
また、本発明の一側面は、上述した情報配信システムの一部を構成する情報受信装置に係るものである。すなわち、放送局の放送波を受信する放送波受信部と、第１の情報配信装置、および放送局の放送波とは異なる他の通信媒体を介して放送局が提供する情報を配信する第２の情報配信装置と通信する通信部と、自己の位置情報を記憶する登録情報記憶部と、第１の情報配信装置に対し、通信部を介して登録情報記憶部に記憶された自己の位置情報を送信し、送信した位置情報に応じて第１の情報配信装置から送信される放送局の周波数情報が含まれた情報を登録情報記憶部に記憶する周波数情報取得部と、放送波受信部で受信する周波数を指定する周波数指定部と、周波数指定部により指定された周波数が登録情報記憶部に記憶されている周波数情報に含まれているか否かを判定する周波数有無判定部と、周波数有無判定部の判定結果に基づいて放送局または第２の情報配信装置のいずれかを情報の取得先として決定する情報取得先決定部と、情報取得先決定部で決定した取得先に基づいて、放送局から放送波受信部を介して情報を取得する、または第２の情報配信装置から通信部を介して情報を取得する情報取得部と、を備えることを特徴とする情報受信装置である。
【０００９】
さらに、上述した情報受信装置の構成に加えて、情報取得先決定部は、周波数有無判定部の判定結果が周波数指定部により指定された周波数が登録情報記憶部に記憶されている周波数情報に含まれている場合には、当該周波数情報および自己の位置情報を第１の情報配信装置へ送信し、第１の情報配信装置からの応答情報に基づいて放送局または第２の情報配信装置のいずれかを情報の取得先として決定することが好ましい。
【００１０】
また、本発明の一側面は、上述した情報配信システムの一部を構成する情報受信装置が実行する情報受信方法に係るものである。すなわち、放送波受信部、通信部、登録情報記憶部、周波数情報取得部、周波数指定部、周波数有無判定部、情報取得先決定部、および情報取得部を備える情報受信装置が実行する情報受信方法において、登録情報記憶部が、自己の位置情報、放送局の放送波の周波数情報、ならびに自装置における放送局の放送波の受信状況を示す情報を記憶する登録情報記憶ステップと、周波数情報取得部が、第１の情報配信装置に対し、通信部を介して登録情報記憶部に記憶された自己の位置情報を送信し、送信した位置情報に応じて第１の情報配信装置から送信される放送局の周波数情報が含まれた情報を登録情報に記憶する周波数情報取得ステップと、周波数指定部が、放送波受信部で受信する周波数を変更する周波数変更ステップと、周波数有無判定部が、周波数指定部により受信する周波数が変更となった場合に、変更後の周波数が登録情報記憶部に記憶されている周波数情報に含まれているか否かを判定する周波数有無判定ステップと、情報取得先決定部が、周波数有無判定ステップの判定結果に基づいて放送局または放送局の放送波とは異なる他の通信媒体を介して放送局が提供する情報を配信する第２の情報配信装置のいずれかを情報の取得先として決定する情報取得先決定ステップと、情報取得部が、情報取得先決定ステップで決定された取得先に基づいて、放送局から放送波受信部を介して情報を取得する、または第２の情報配信装置から通信部を介して情報を取得する取得ステップと、を備えることを特徴とする情報受信方法である。
【００１１】
また、本発明の一側面は、上述した情報配信システムの一部を構成する情報受信装置としてコンピュータを機能させるためのプログラムに係るものである。すなわち、コンピュータを、放送局の放送波を受信する放送波受信手段と、第１の情報配信装置、および放送局の放送波とは異なる他の通信媒体を介して放送局が提供する情報を配信する第２の情報配信装置と通信する通信手段と、自己の位置情報を記憶する登録情報記憶手段と、第１の情報配信装置に対し、通信部を介して登録情報記憶部に記憶された自己の位置情報を送信し、送信した位置情報に応じて第１の情報配信装置から送信される放送局の周波数情報が含まれた情報を登録情報に記憶する周波数情報取得手段と、放送波受信部で受信する周波数を変更する周波数変更手段と、周波数指定部により受信する周波数が変更となった場合に、変更後の周波数が登録情報記憶部に記憶されている周波数情報に含まれているか否かを判定する周波数有無判定手段と、周波数有無判定部の判定結果に基づいて放送局または第２の情報配信装置のいずれかを情報の取得先として決定する情報取得先決定手段と、情報取得先決定部で決定した取得先に基づいて、放送局から放送波受信部を介して情報を取得する、または第２の情報配信装置から通信部を介して情報を取得する情報取得手段、として機能させるためのプログラムである。
【００１２】
また、本発明の一側面は、上述した情報配信システムの一部を構成する第１の情報配信装置に係るものである。すなわち、請求項２または３に記載の上述した情報受信装置の位置情報を受信する受信部と、受信部で受信した情報受信装置の位置情報に基づいて放送局の周波数情報が含まれた情報を情報受信装置へ送信する周波数情報送信部と、を備えることを特徴とする情報配信装置である。
【００１３】
さらに、上述した情報配信装置の構成に加えて、情報受信装置より送信された位置情報および周波数情報に基づいて放送局に対応する第２の情報配信装置を特定する情報配信装置特定部と、情報配信特定部で特定された第２の情報配信装置の接続情報を情報受信装置へ送信する接続情報送信部と、を備えることが好ましい。
【００１４】
また、本発明の一側面は、上述した情報配信システムの一部を構成する第２の情報配信装置に係るものである。すなわち、放送局の放送波とは異なる他の通信媒体を介して放送局が提供する情報を請求項２または３に記載の情報受信装置へ配信する情報配信装置であって、放送局が提供する情報が記憶される情報記憶部と、情報受信装置より情報の取得要求を受信した場合に、当該情報受信装置の放送局の受信状況に基づいて情報の配信可否を判定する配信可否判定部と、配信可否判定部の判定に基づいて、情報記憶部に記憶されている情報を、情報受信装置に対して提供する情報提供部と、を備えることを特徴とする情報配信装置である。
【００１５】
また、本発明の一側面は、上述した情報配信システムとは異なる他の情報配信システムに係るものである。すなわち、情報受信装置、第１の情報配信装置、および第２の情報配信装置を備える情報配信システムにおいて、情報受信装置は、放送局の放送波を受信する放送波受信部と、第１の情報配信装置、および放送局の放送波とは異なる他の通信媒体を介して放送局が提供する情報を配信する第２の情報配信装置と通信する通信部と、自己の位置情報を記憶する登録情報記憶部と、第１の情報配信装置に対し、通信部を介して登録情報記憶部に記憶された自己の位置情報を送信し、送信した位置情報に応じて第１の情報配信装置から送信される放送局の周波数情報が含まれた情報を登録情報記憶部に記憶する周波数情報取得部と、放送波受信部で受信する周波数を指定する周波数指定部と、周波数指定部により指定された周波数が登録情報記憶部に記憶されている周波数情報に含まれているか否かを判定する周波数有無判定部と、周波数有無判定部の判定結果に基づいて放送局または第２の情報配信装置のいずれかを情報の取得先として決定する情報取得先決定部と、情報取得先決定部で決定した取得先に基づいて、放送局から放送波受信部を介して情報を取得する、または第２の情報配信装置から通信部を介して情報を取得する情報取得部と、を備え、第１の情報配信装置は、情報受信装置の位置情報を受信する第１の受信部と、第１の受信部で受信した情報受信装置の位置情報に基づいて放送局の周波数情報が含まれた情報を情報受信装置へ送信する周波数情報送信部と、情報受信装置から送信された情報受信装置の位置情報および当該情報受信装置における放送局の放送波の周波数情報を受信する第２の受信部と、第２の受信部で受信した位置情報および周波数情報に基づいて放送局に対応する第２の情報配信装置を特定する情報配信装置特定部と、情報配信特定部で特定された第２の情報配信装置の接続情報を情報受信装置へ送信する接続情報送信部と、第２の情報配信装置から送信された情報受信装置の位置情報、当該情報受信装置における放送局の放送波の周波数情報、および当該情報受信装置における放送局の放送波の受信状況を示す情報を受信する第３の受信部と、第３の受信部で受信した情報に基づいて情報受信装置における放送局からの放送波の受信可否を判定する受信可否判定部と、受信可否判定部の判定結果を第２の情報配信装置へ送信する受信可否判定結果送信部と、を備え、第２の情報配信装置は、情報受信装置から送信された当該情報受信装置における放送局の放送波の周波数情報、および当該情報受信装置における放送局の放送波の受信状況を示す情報を第１の情報配信装置へ送信する第１の送信部と、第１の送信部で送信した情報に対する第１の情報配信装置からの応答に基づいて第２の情報配信装置が提供する情報の配信可否を判定する配信可否判定部と、配信可否判定部の判定結果を情報受信装置へ送信する第２の送信部と、放送局が提供する情報が記憶される情報記憶部と、情報記憶部に記憶されている情報を情報受信装置からの要求に応じて放送局の放送波とは異なる他の通信媒体を介して提供する情報提供部と、を備える情報配信システムである。
【００１６】
また、本発明の一側面は、上述した情報配信システムとは異なる他の情報配信システムの一部を構成する第１の情報配信装置に係るものである。すなわち、請求項２または３に記載の情報受信装置の位置情報を受信する第１の受信部と、第１の受信部で受信した情報受信装置の位置情報に基づいて放送局の周波数情報が含まれた情報を情報受信装置へ送信する周波数情報送信部と、情報受信装置から送信された当該情報受信装置の位置情報および当該情報受信装置における放送局の放送波の周波数情報を受信する第２の受信部と、第２の受信部で受信した位置情報および周波数情報に基づいて放送局に対応する第２の情報配信装置を特定する情報配信装置特定部と、情報配信特定部で特定された第２の情報配信装置の接続情報を情報受信装置へ送信する接続情報送信部と、第２の情報配信装置から送信された情報受信装置の位置情報、当該情報受信装置における放送局の放送波の周波数情報、および当該情報受信装置における放送局の放送波の受信状況を示す情報を受信する第３の受信部と、第３の受信部で受信した情報に基づいて情報受信装置における放送局からの放送波の受信可否を判定する受信可否判定部と、受信可否判定部の判定結果を第２の情報配信装置へ送信する受信可否判定結果送信部と、を備える情報配信装置である。
【００１７】
また、本発明の一側面は、上述した情報配信システムとは異なる他の情報配信システムの一部を構成する第２の情報配信装置に係るものである。すなわち、請求項２または３に記載の情報受信装置から送信された当該情報受信装置における放送局の放送波の周波数情報、および当該情報受信装置における放送局の放送波の受信状況を示す情報を第１の情報配信装置へ送信する第１の送信部と、第１の送信部で送信した情報に対する第１の情報配信装置からの応答に基づいて放送局の放送波とは異なる他の通信媒体を介して放送局が提供する情報を配信する第２の情報配信装置が提供する情報の配信可否を判定する配信可否判定部と、配信可否判定部の判定結果を情報受信装置へ送信する第２の送信部と、を備える情報配信装置である。
【発明の効果】
【００１８】
本発明によれば、地域を限定して提供されるコンテンツを適切に受信できる情報配信システム、情報受信装置、情報受信方法、情報配信装置、およびプログラムを提供することができる。
【図面の簡単な説明】
【００１９】
【図１】本発明の実施例に係る情報配信システムの全体構成例を示すブロック図である。
【図２】図１に示す放送局の全体構成例を示すブロック図である。
【図３】図１に示す放送局管理サーバの全体構成例を示すブロック図である。
【図４】図３に示す位置情報変換ＤＢに格納されている情報の一例を示す図である。
【図５】図３に示す全放送局情報ＤＢに格納されているデータの一例を示す図である。
【図６】図３に示すチューナＩＣ情報ＤＢに格納されているデータの一例を示す図である。
【図７】図１に示す放送局ポータルサーバの構成例を示すブロック図である。
【図８】図７に示す放送局情報ＤＢに少なくとも格納されているデータの一例を示す図である。
【図９】図１に示す受信装置の全体構成を示すブロック図である。
【図１０】図１に示す受信装置と放送局管理サーバとの間で実行される地域特定処理のフローチャートである。
【図１１】図１に示す受信装置と放送局管理サーバとの間で実行される周波数テーブル作成処理のフローチャートである。
【図１２】図１に示す受信装置と放送局管理サーバとの間で実行される、放送局に対応する放送局ポータルサーバの有無判定処理のフローチャートである。
【図１３】図１に示す受信装置と放送局ポータルサーバとの間で実行されるコンテンツ配信処理のフローチャートである。
【図１４】図１３に示しコンテンツ配信処理の変形例を示すフローチャートである。
【図１５】図３に示す位置情報変換ＤＢに格納されている情報の一例を示す図である。
【発明を実施するための形態】
【００２０】
本発明に係る情報配信システム、情報受信装置、情報受信方法、情報配信装置、およびプログラムについて、図面を参照しながら実施例を説明する。なお、本発明に係る情報受信方法については、情報受信装置が実行する処理の説明と共に行うものとする。
【００２１】
（情報配信システムの概要説明）
本発明の実施例に係る情報配信システム１について説明する。図１は、本発明の実施例に係る情報配信システム１の全体構成を示すブロック図である。図１に示すように、情報配信システム１は、放送局２、放送局管理サーバ３、放送局ポータルサーバ４、および受信装置５を有している。
【００２２】
放送局２は、請求項の放送局の一例であり、複数のコンテンツを放送波に重畳させて放送する。放送局管理サーバ３は、請求項の第１の情報配信装置の一例であり、受信装置５からの問い合わせに応じて、受信装置５の設置される地域における、放送局２に対応する放送局ポータルサーバ４の有無および当該放送局ポータルサーバへの接続情報の提供等を行う。放送局ポータルサーバ４は、請求項の第２の情報配信装置の一例であり、受信装置５からのコンテンツ配信要求があると、当該受信装置５の放送局２の受信状況に応じて上記放送局２が放送するコンテンツ、当該コンテンツに関連するコンテンツ、またはこれらのコンテンツ以外のコンテンツをＩＰ通信網１０経由で受信装置５へ配信することができる。受信装置５は、請求項の情報受信装置の一例であり、放送局管理サーバ３へ自分の位置情報を送信して、当該位置情報に基づく放送局２に対応する放送局ポータルサーバ４の有無を問い合わせ、問い合わせ結果に応じて、放送局２または放送局ポータルサーバ４のいずれかをコンテンツ取得先として決定することができる。すなわち、受信装置５は、放送局２の放送波に重畳されたコンテンツを受信することができると共に、ＩＰ通信網１０経由で放送局ポータルサーバ４へコンテンツ配信要求を送信することでも、放送局２が提供するコンテンツを受信することができる。
【００２３】
図１に示す情報配信システム１の例では、１つの放送局２、１つの放送局管理サーバ３、１つの放送局２に対応する１つの放送局ポータルサーバ４、および２つの受信装置５を示したが、その他にも、都道府県単位別または市区町村別の単位などで、複数の放送局２、複数の放送局管理サーバ３、複数の放送局ポータルサーバ４、および３以上の受信装置５を有するように構成されてもよい。また、図１に示す情報配信システム１の例では、１つの放送局２に対して１つの放送局ポータルサーバ４が存在するが、１つの放送局２に対して複数の放送局ポータルサーバ４が存在してもよいし、複数の放送局２に対応する１つの放送局ポータルサーバ４が存在してもよい。また、放送局ポータルサーバ４をもたない放送局２が含まれてもよい。
【００２４】
ＩＰ通信網１０は、放送局管理サーバ３、放送局ポータルサーバ４、ならびに受信装置５間の通信を行うための通信網である。このＩＰ通信網１０は、たとえば、ＴＣＰ／ＩＰなどの通信プロトコルを利用したインターネット、ＣＡＴＶ、専用線、ＶＰＮ（仮想ＬＡＮ）、ＷＡＮなどのいずれか、もしくはそれらの組み合わせたネットワークで構成されていてもよい。なお、ＩＰ通信網１０には、ＩＰ通信以外の他の通信プロトコルを利用したネットワークが含まれていてもよい。
【００２５】
（放送局の構成）
図１に示す放送局２は、放送スケジュールに沿って放送番組用のコンテンツを放送波に重畳して送出する。また、放送局２は、放送波にデータ放送、ＥＰＧ（Ｅｌｅｃｔｒｏｎｉｃ  Ｐｒｏｇｒａｍ  Ｇｕｉｄｅ）情報などのコンテンツを放送波に重畳して送出することができる。なお、図１に示す放送局２はデジタル放送を想定しているが、アナログ放送を送出するものであってもよい。
【００２６】
図２は、図１に示す放送局２の全体構成例を示すブロック図である。図２に示すように、放送局２は、コンテンツストリーム作成部２１、ＥＰＧ情報作成部２２、データ放送作成部２３、ＭＵＸ（ＭＵｌｔｉｐｌｅＸｅｒ）部２４、放送用コンテンツＤＢ２５、放送用スケジュールＤＢ２６、およびデータ放送用コンテンツＤＢ２７を主要な構成要素としている。ここで、上述したコンテンツストリーム作成部２１、ＥＰＧ情報作成部２２、データ放送作成部２３、ＭＵＸ部２４の各機能が実現する情報処理は、放送局２全体を制御する制御部２８が不図示のハードウェア資源と協働して実行することにより実現される。具体的には、制御部２８は、不図示のハードウェア資源であるＣＰＵなどから構成され、当該ＣＰＵなどの中央演算処理装置が不図示のＲＯＭ、ハードディスク、フラッシュメモリなどの記憶部位に格納されている各種プログラムを不図示のバスを介してＲＡＭに読み出して協働して実行することにより実現している。また、上述した放送用コンテンツＤＢ２５、放送用スケジュールＤＢ２６、データ放送用コンテンツＤＢ２７は記憶部２９に記憶されており、当該記憶部２９は、たとえば不図示のＨＤＤ（Ｈａｒｄ  Ｄｉｓｋ  Ｄｒｉｖｅ）やフラッシュメモリなどの記憶装置から構成される。
【００２７】
コンテンツストリーム作成部２１は、放送用コンテンツＤＢ２５を参照して放送用コンテンツを作成する。本実施例において、放送用コンテンツは、ＭＰＥＧ２（Ｍｏｖｉｎｇ  Ｐｉｃｔｕｒｅ  Ｅｘｐｅｒｔｓ  Ｇｒｏｕｐ２）規格に準拠して符号化及び多重化されているものとして説明する。ＭＰＥＧ２規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。更に、ＰＥＳを分割したＴＳ（Ｔｒａｎｓｐｏｒｔ  Ｓｔｒｅａｍ）パケットが、放送局２から伝送される。
【００２８】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、このＴＳパケットには、放送局２の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ２５には、上述した放送用コンテンツの元になる情報が記憶されている。
【００２９】
ＥＰＧ情報作成部２２は、放送用スケジュールＤＢ２６を参照してＥＰＧ情報を作成する。放送用スケジュールＤＢ２６には、放送局２の放送スケジュールが記憶されているが、他の放送局２の放送スケジュール情報が記憶されていてもよい。
【００３０】
データ放送作成部２３は、データ放送用コンテンツＤＢ２７から例えば天気予報や番組に関連した情報などのデータ放送に関連する情報を作成する。データ放送に関連する情報も、上述した放送用コンテンツと同様にＭＰＥＧ２規格に準拠して符号化及び多重化されているものとする。データ放送用コンテンツＤＢ２７には、天気予報や番組に関連した情報などのデータ放送に関連する情報以外にも、その番組に関係する後述の放送局ポータルサーバ４が提供するＵＲＬ（Ｕｎｉｆｏｒｍ  Ｒｅｓｏｕｒｃｅ  Ｌｏｃａｔｏｒ）情報やＰ２Ｐ（Ｐｅｅｒ  ｔｏ  Ｐｅｅｒ）方式で利用できる検索クエリ情報が記憶されていてもよい。なお、データ放送作成部２３は、これらの情報をあわせてＭＵＸ部２４に供給する。
【００３１】
ＭＵＸ部２４は、コンテンツストリーム作成部２１が放送用コンテンツＤＢ２５を参照して作成した放送コンテンツデータと、ＥＰＧ情報作成部２２が放送用スケジュールＤＢ２６を参照して作成したＥＰＧ情報と、データ放送作成部２３がデータ放送用コンテンツＤＢ２７を参照して作成したデータ放送番組データとを多重化した放送データＤを生成する。そして、当該放送データＤは、放送局２のアンテナから放送波として送出される。
【００３２】
（放送局管理サーバの構成）
図１に示す放送局管理サーバ３は、受信装置５を認証する機能、当該受信装置５の設置されている地域を特定する機能、放送局２に対応する放送局ポータルサーバ４の有無を判定する機能などを少なくとも有し、情報配信システム１における放送局ポータルサーバ４について統括的な管理を行うサーバである。なお、放送局管理サーバ３には、放送局２に対応する放送局ポータルサーバ４が存在する場合であっても、その放送局ポータルサーバ４が当該放送局２に対応する放送局ポータルサーバ４として登録されていない、またはそもそも放送局ポータルサーバ４が存在しないという情報を有していてもよい。放送局管理サーバ３は、請求項の第１の情報配信装置の一例に相当する。
【００３３】
図３は、図１に示す放送局管理サーバ３の全体構成例を示すブロック図である。図３に示すように、放送局管理サーバ３は、機器認証部３１、地域特定処理部３２、周波数情報提供部３３、ポータルサーバ特定部３４、通信制御部３５、位置情報変換ＤＢ３６、全放送局情報ＤＢ３７、およびチューナＩＣ情報ＤＢ３８を主要な構成要素としている。ここで、上述した機器認証部３１、地域特定処理部３２、ポータルサーバ特定部３４、および通信制御部３５の各機能が実現する情報処理は、放送局管理サーバ３全体を制御する制御部３９が不図示のハードウェア資源と協働して実行することにより実現される。具体的には、制御部３９は、不図示のハードウェア資源であるＣＰＵなどから構成され、ＣＰＵが不図示のＲＯＭ、ハードディスク、フラッシュメモリなどの記憶部位に格納されている各種プログラムを不図示のバスを介してＲＡＭに読み出して協働して実行することにより実現している。また、上述した位置情報変換ＤＢ３６、全放送局情報ＤＢ３７、およびチューナＩＣ情報ＤＢ３８は記憶部４０に記憶されている。記憶部４０は、たとえば不図示のＨＤＤやフラッシュメモリなどの記憶装置から構成される。
【００３４】
機器認証部３１は、たとえば専用のプログラムなどで構成され、受信装置５が情報配信システム１において正当な機器であるか否かを認証する。情報配信システム１では、たとえば、ワンタイムパスワードと同様のタイム・スタンプ方式、またはチャレンジ・レスポンス方式などにより、ワンタイムデバイスＩＤとして予め発行できる共通の仕組みを受信装置５および当該機器認証部３１にそれぞれ構築しておき、当該「機器ＩＤ」の照合をこれらの間で実行することで、受信装置５の機器認証を行うことが可能である。
【００３５】
地域特定処理部３２は、たとえば専用のプログラムなどで構成され、受信装置５が設置されている地域を特定する。地域特定処理部３２が行う地域特定処理の詳細については後述する。周波数情報提供部３３は、たとえば専用のプログラムなどで構成され、受信装置５が設置されている地域で受信可能な放送局２の周波数情報を特定し、周波数テーブル（周波数情報のリスト）を生成する処理を実行する。周波数情報提供部が行う周波数情報提供処理の詳細については後述する。ポータルサーバ特定部３４は、たとえば専用のプログラムなどで構成され、受信装置５から受信した周波数情報から、当該周波数の放送局２に対応する放送局ポータルサーバ４を特定し、当該放送局ポータルサーバ４の接続情報等を送信する処理を実行する。通信制御部３５は、受信装置５や、放送局ポータルサーバ４などの外部機器とＩＰ通信網１０を介して通信を行うための通信インターフェースである。通信制御部３５は請求項の第１の受信部、第２の受信部、第３の受信部のそれぞれの一例に相当する。
【００３６】
位置情報変換ＤＢ３６は、ＩＰアドレス、郵便番号、住所などの位置情報から受信装置５の設置位置を特定できる情報が少なくとも格納されているデータベースである。図４は、図３に示す位置情報変換ＤＢ３６に格納されている情報の一例を示す図である。図４に示すように、位置情報変換ＤＢ３６には、「ＩＰアドレス」、「都道府県コード」、「都道府県名」、「市区町村コード」、「市区町村名」、「郵便番号」、「町域名」などの情報が少なくとも格納されている。「ＩＰアドレス」には、「都道府県コード」、「都道府県名」、「市区町村コード」、「市区町村名」で特定される地域に対応するグローバルＩＰアドレスが含まれている。なお、このＩＰアドレスが格納されている単位は、図４に示すように個別のＩＰアドレス単位で格納する方法以外に、所定の範囲毎（たとえば、ネットワークアドレス単位など）に格納する方法でもよい。
【００３７】
全放送局情報ＤＢ３７は、情報配信システム１に含まれる各放送局２に関するデータが格納されているデータベースである。図５は、図３に示す全放送局情報ＤＢ３７に格納されているデータの一例を示す図である。図５に示す放送局２の情報を管理するための上段のテーブルには、「放送局ＩＤ」、「放送局名」、「コールサイン」、「放送局ポータルサーバＵＲＬ」などの情報が少なくとも格納されている。「放送局ＩＤ」には、情報配信システム１内において、放送局２の周波数から放送局ポータルサーバ４を一意に識別できるコードが含まれている。「放送局名」には、放送局ポータルサーバ４に対応する放送局２の名称が含まれている。「コールサイン」には、放送局ポータルサーバ４に対応する放送局２の国際電気通信条約に基づいて発行されている識別番号が含まれている。「放送局ポータルサーバＵＲＬ」には、放送局ポータルサーバ４のホームページ等のＵＲＬが含まれている。したがって、放送局情報ＤＢ４４の「放送局ＩＤ」を参照することにより、当該放送局ＩＤに関連付けられている「放送局名」、「コールサイン」、「放送局ポータルサーバＵＲＬ」などを一意に決定することができる。
【００３８】
放送局２の視聴エリア情報を管理する下段に示したテーブルには、「都道府県コード」、「市区町村コード」、「郵便番号」、「周波数」、「放送局ＩＤ」などの情報が格納されている。「都道府県コード」には、情報配信システム１内において、日本の都道府県を一意に識別できる番号が含まれている。「市区町村コード」には、情報配信システム１内の「都道府県コード」との組み合わせにより日本の市区町村を一意に識別できる番号が含まれている。「郵便番号」には、「都道府県コード」および「市区町村コード」により一意に特定される地域の郵便番号が含まれている。「周波数」には、「都道府県コード」および「市区町村コード」により特定される地域において受信できる放送局２からの放送波の周波数が含まれている。「放送局ＩＤ」には、情報配信システム１内において、放送局２の周波数から放送局ポータルサーバ４を一意に識別できるコードが含まれている。なお、図５中の上段に示したテーブルと下段に示したテーブルとはこの「放送局ＩＤ」により関連付けがなされている。
【００３９】
チューナＩＣ情報ＤＢ３８は、情報配信システム１において使用される受信装置５の機器情報が少なくとも格納されているデータベースである。図６は、図３に示すチューナＩＣ情報ＤＢ３８に格納されているデータの一例を示す図である。図６に示すように、「チューナ情報識別」、「受信装置メーカコード」、「受信装置型番」、「チューナ製造メーカ名」、「チューナ型番」、「チューナファームバージョン」、「受信レベル算出用計数」などの情報が少なくとも格納されている。「チューナ情報識別」には、情報配信システム１において、受信装置５のチューナ５２が一意に識別できる識別情報が含まれている。「受信装置メーカコード」には、受信装置５の製造メーカを一意に識別できる識別情報が含まれている。「受信装置型番」には、受信装置５の型番を一意に識別できる識別情報が含まれている。「チューナファームバーション」には、受信装置５のチューナ５２についてのファームウェアのバージョン情報が含まれている。「受信レベル算出用計数」には、チューナ５２に関する各種パラメータの特性に応じて算出される変換計数が含まれている。したがって、「チューナ情報識別」が特定されれば、チューナＩＣ情報ＤＢ３８を参照することにより、当該「チューナ情報識別」に関連付けられた「受信装置メーカコード」、「受信装置型番」、「チューナ製造メーカ名」、「チューナ型番」、「チューナファームバージョン」、「受信レベル算出用計数」が一意に特定できる。
【００４０】
（放送局ポータルサーバの構成）
図１に示す放送局ポータルサーバ４は、ＩＰ通信網１０を介して放送局２の放送コンテンツ（いわゆる放送局２のサイマル放送に該当するコンテンツ）、当該コンテンツに関する静止画、音声、動画といった関連コンテンツや、放送コンテンツとは関係なく独自に制作した独自コンテンツ（たとえば、放送局ポータルサーバ４が提供するホームページ、テキスト情報、静止画情報、動画情報）などの放送局２に対応するコンテンツを受信装置５に提供する。また、放送局ポータルサーバ４は、受信装置５からのコンテンツ配信要求を受けて、当該受信装置５における放送局２の受信状況に基づいて受信可否判定を行う。なお、この放送局ポータルサーバ４は、複数の放送局２に対応するコンテンツを有していてもよい。放送局ポータルサーバ４は、請求項の第２の情報配信装置の一例に相当する。
【００４１】
図７は、図１に示す放送局ポータルサーバ４の構成例を示すブロック図である。図７に示すように、放送局ポータルサーバ４は、配信可否判定部４１、コンテンツ生成部４２、通信制御部４３、放送局情報ＤＢ４４、コンテンツＤＢ４５、およびチューナＩＣ情報ＤＢ４６を主要な構成要素としている。ここで、上述した配信可否判定部４１、コンテンツ生成部４２、通信制御部４３の各機能が実現する情報処理は、放送局ポータルサーバ４全体を制御する制御部４７が不図示のハードウェア資源と協働して実行することにより実現される。具体的には、制御部４７は、不図示のハードウェア資源であるＣＰＵなどから構成され、当該ＣＰＵなどの中央演算処理装置が不図示のＲＯＭ、ハードディスク、フラッシュメモリなどの記憶部位に格納されている各種プログラムを不図示のＲＡＭに読み出して協働して実行することにより実現している。また、上述した放送局情報ＤＢ４４、コンテンツＤＢ４５、チューナＩＣ情報ＤＢ４６は記憶部４８に記憶されており、記憶部４８は、たとえば不図示のＨＤＤやフラッシュメモリなどの記憶装置から構成される。
【００４２】
配信可否判定部４１は、たとえば、配信可否判定処理を実行可能なプログラム等で構成され、放送局情報ＤＢ４４などを参照し、コンテンツ配信要求をしてきた受信装置５についてＩＰ通信網１０を介してのコンテンツ配信を許可するか否かの判定をする。配信可否判定部４１は、コンテンツ配信要求をしてきた受信装置５が送信してきた情報を参照し、ＩＰ通信網１０を介してのコンテンツ配信ができないと判定した場合には、コンテンツを送信できない旨を当該受信装置５に対して通知し、コンテンツ配信できると判定した場合には、当該受信装置５に対して当該コンテンツ配信要求を許可する信号（配信可否情報の可情報）をコンテンツ生成部４２へ供給する。配信可否判定処理の詳細については、後述する。
【００４３】
コンテンツ生成部４２は、配信可否判定部４１からコンテンツ配信要求を許可する信号を受け取ると、コンテンツＤＢ４５を参照して、当該受信装置５に対して送信すべきコンテンツを生成する。ここで、受信装置５に対して送信すべきコンテンツとして、受信装置５が要求するコンテンツでもよいし、放送局２が放送する放送番組に連動するコンテンツを生成するようにしてもよい。また、コンテンツ生成部４２は、特定のコンテンツを受信装置５が要求した場合に選択されたコンテンツを生成するようにし、それ以外では番組連動型のコンテンツを自動で生成し、送信するようにしてもよい。通信制御部４３は、ＩＰ通信網１０を介して、受信装置５からのコンテンツ配信要求を受信し、受信装置５へコンテンツを送信する通信インターフェースである。
【００４４】
放送局情報ＤＢ４４は、放送局２に関する情報が格納されているデータベースであり、当該放送局２の周波数とエリア区分、当該エリア区分における受信レベル条件、および当該放送局ポータルサーバ４がＩＰ通信網１０において提供可能な視聴エリアとなる位置情報などが格納されている。
【００４５】
図８は、図７示す放送局情報ＤＢ４４に少なくとも格納されているデータの一例を示す図である。この例の場合、放送局情報ＤＢ４４には、３つのテーブルが格納されている。放送局２の情報を管理するための上段のテーブルには、「放送局ＩＤ」、「放送局名」、「コールサイン」、「放送局ポータルサーバＵＲＬ」などの情報が少なくとも格納されている。「放送局ＩＤ」には、情報配信システム１内において、放送局ポータルサーバ４に対応する放送局２を一意に識別できるコードが含まれている。「放送局名」には、放送局ポータルサーバ４に対応する放送局２の名称が含まれている。「コールサイン」には、放送局ポータルサーバ４に対応する放送局２の国際電気通信条約に基づいて発行されている識別番号が含まれている。「放送局ポータルサーバＵＲＬ」には、放送局ポータルサーバ４のホームページ等のＵＲＬが含まれている。したがって、放送局情報ＤＢ４４の「放送局ＩＤ」を参照することにより、当該放送局ＩＤに関連付けられている「放送局名」、「コールサイン」、「放送局ポータルサーバＵＲＬ」などを一意に決定することができる。
【００４６】
放送局２の視聴エリア情報を管理する中段に示したテーブルには、「都道府県コード」、「市区町村コード」、「郵便番号」、「周波数」、「エリア区分」、「放送局ＩＤ」などの情報が格納されている。「都道府県コード」には、情報配信システム１内において、日本の都道府県を一意に識別できる番号が含まれている。「市区町村コード」には、情報配信システム１内の「都道府県コード」との組み合わせにより日本の市区町村を一意に識別できる番号含まれている。「郵便番号」には、「都道府県コード」および「市区町村コード」により一意に特定される地域の郵便番号含まれている。「周波数」には、「都道府県コード」および「市区町村コード」により特定される地域において受信できる放送局２からの放送波の周波数が含まれている。「エリア区分」は、放送局２の「周波数」の受信状況を判定するためのエリア区分を示すフラグ（１、０）が含まれている。なお、当該フラグの値が「０」の場合には、受信可能エリア（受信状態の良い地域であろう放送免許地域）を示し、「１」の場合には、フリンジエリア（受信状態の悪い地域であろう放送免許地域以外の地域）を示す。「放送局ＩＤ」には、情報配信システム１内において、放送局２の周波数から放送局ポータルサーバ４を一意に識別できるコードが含まれている。なお、図８中の上段に示したテーブルと下段に示したテーブルとはこの「放送局ＩＤ」により関連付けがなされている。
【００４７】
さらに、下段に示したテーブルには、「エリア区分」、「受信レベル条件」などの情報が格納されている。「エリア区分」は、上述した中段に示したテーブルとの外部キーである。「受信レベル条件」には、「エリア区分」によって特定される放送局２から受信するために必要な受信レベル条件の数値が格納されている。「受信レベル条件」に格納されている数値の単位は、ｍＶ／ｍである。なお、図８中の中段に示したテーブルと下段に示したテーブルとは「エリア区分」により関連付けがなされている。
【００４８】
したがって、放送局情報ＤＢ４４を参照することにより、中段に示すテーブルで「郵便番号」および「周波数」が特定されれば「放送局ＩＤ」を特定できると共に、上段に示すテーブルで当該「放送局ＩＤ」から「放送局ポータルサーバＵＲＬ」を特定することができる。また、中段に示すテーブルで「郵便番号」および「周波数」が特定されれば、特定された放送局２の「エリア区分」が特定できると共に、下段に示すテーブルで当該「エリア区分」から「受信レベル条件」を取得することができる。
【００４９】
コンテンツＤＢ４５は、種々のコンテンツが格納されているデータベースである。コンテンツＤＢ４５に記憶されているコンテンツには、放送局２が放送する番組コンテンツ、当該番組コンテンツに連動しているコンテンツ、放送終了後にも接続可能なコンテンツ、また、受信するエリアが限定されないコンテンツ等が記憶されている。具体的なコンテンツの種類としては、静止画、動画、音声等がある。なお、これらの情報は例えばＸＭＬ(ｅＸｔｅｎｓｉｂｌｅ  Ｍａｒｋｕｐ  Ｌａｎｇｕａｇｅ)やＢＭＬ(Ｂｒｏａｄｃａｓｔ  Ｍａｒｋｕｐ  Ｌａｎｇｕａｇｅ)等のマークアップ言語で記述されており、このようなマークアップ言語を用いることで、ＩＰ通信網１０との親和性を良好なものとすることができる。なお、放送局２から放送されるコンテンツストリーム形式のデータをそのままコンテンツＤＢ４５に格納して、受信装置５へ提供するようにしてもよい。
【００５０】
チューナＩＣ情報ＤＢ４６は、情報配信システム１において使用される受信装置５の機器情報などが少なくとも格納されているデータベースである。なお、チューナＩＣ情報ＤＢ４６は、放送局管理サーバ３で説明したチューナＩＣ情報ＤＢ３８（図６）と同一であるため、図示は省略するが、放送局ポータルサーバ４が配信可否判定処理を実行する際には、チューナＩＣ情報ＤＢ４６に記憶されている「受信レベル算出用計数」を用いることが好ましい。その理由は、受信装置５は、当該受信装置５の製造元、受信装置５に組み込まれているチューナＩＣの種類によって性能が異なり、かつ、当該受信装置５にチューナＩＣを埋め込んだ際のノイズの影響などにより同一の放送局２からの受信感度が製品単位でそれぞれ異なることがあるからである。そこで、放送局ポータルサー４は、受信装置５の種類毎の受信可否判定において放送受信感度の基準値（閾値）と一律に比較することができる受信感度を算出するための、チューナＩＣに関するＲＳＳＩ（Ｒｃｅｉｖｅｄ  Ｓｉｇｎａｌ  Ｓｔｒｅｎｇｔｈ  Ｉｎｄｉｃａｔｉｏｎ）やＳ／Ｎ比（ＳＮＲ：Ｓｉｇｎａｌ  ｔｏ  Ｎｏｉｓｅ  ｒａｔｉｏ）などの各種パラメータから算出される変換計数を用いることによって適切な配信可否判定処理を実行することが可能となる。
【００５１】
（受信装置の構成）
図１に示す受信装置５は、放送局２からの放送波を受信し、受信した放送番組の映像、音声出力やＥＰＧ情報の出力を行う。また、受信装置５は、放送局２のアンテナから送出される放送波の受信状況が所定のレベル以上の場合には、放送局２が放送波によって送信するコンテンツと同一のコンテンツおよび／または当該コンテンツに関連するコンテンツ、それ以外の異なるコンテンツを放送局ポータルサーバ４からＩＰ通信網１０を介して受信し、出力することができる。受信装置５は、請求項の情報受信装置の一例に相当する。
【００５２】
図９は、図１に示す受信装置５の全体構成を示すブロック図である。受信装置５は、たとえばＴＶ放送やラジオ放送を放送局２から受信すると共に、ＩＰ通信網１０と接続可能に構成されている据置き型の装置である。また、受信装置５は、放送局２、放送局管理サーバ３、放送局ポータルサーバ４からの受信情報を表示装置６、音声再生装置７へ出力する。本実施例に係る受信装置５は、表示装置６、音声再生装置７とは別個の装置としている。しかし、本発明ではこれに限定するものではなく、受信装置５、表示装置６、音声再生装置７が同じ筐体内に具備されるようなもの、例えばテレビセットとしても良い。また、受信装置５と表示装置６とが同一の筐体内に具備され、音声再生装置７だけが別の筐体内に具備されるような構成であっても良い。つまり、これら３つの受信装置５、表示装置６、音声再生装置７をどのような装置内に具備するのかについては特に限定するものではない。また、受信装置５は、録画機能、録音機能を有していてもよい。受信装置５は、請求項の情報受信装置の一例である。
【００５３】
図９に示すように、受信装置５は、操作入力部５１、チューナ５２、ＤＥＭＵＸ（ＤＥＭＵｌｔｉｐｌｅＸｅｒ）部５３、デコード部５４、映像／音声出力部５５、ネットワーク接続部５６、受信状況検出部５７、登録情報記憶部５８、および制御部５９とを主要な構成要素としている。ここで、制御部５９は、ＣＰＵなどから構成される受信装置５全体を制御する中央演算処理装置であり、当該ＣＰＵが不図示のＲＯＭ、ハードディスク、フラッシュメモリなどの記憶部位に格納されている各種プログラムを不図示のバスを介してＲＡＭに読み出し、これらのプログラムを実行することにより、操作入力部５１、チューナ５２、ＤＥＭＵＸ部５３、デコード部５４、映像／音声出力部５５、ネットワーク接続部５６、受信状況検出部５７、登録情報記憶部５８の各部と協働して受信装置５の各機能を実現している。
【００５４】
操作入力部５１は、ユーザからの操作入力（チャンネルの選局指示など）を受け付けて、制御部５９へユーザの指示を伝える。操作入力部５１は、たとえばリモコンやタッチパネルで構成されるが、音声入力等ができるように構成されてもよい。ユーザは、この操作入力部５１を操作することで、受信装置５への操作入力を行うことができる。なお、受信装置５への操作入力は、赤外線などの無線信号（操作信号）を介して受信装置５内に設けられた操作入力部５１に入力されるようにしてもよい。ユーザが操作入力部５１を用いてチャンネルの選局指示を入力すると、この選局指示内容を示す信号が、操作入力部５１および不図示のバスを介して制御部５９に入力され、制御部５９は、不図示のバスを介してチューナ５２に対して、ユーザが選局したチャンネルにチューニング指示を送信する。
【００５５】
チューナ５２は、制御部５９からのチューニング指示により、放送局２の放送波をアンテナで受信し、受信したＲＦ（Ｒａｄｉｏ  Ｆｒｅｑｕｅｎｃｙ）信号を復調し、誤り訂正処理などを行い、ＴＳパケットからなるＴＳ信号をＤＥＭＵＸ部５３へ出力する。図９では、チューナ５２は、地上デジタルテレビ放送を受信するために１つのみ図示したが、地上アナログテレビ放送、ラジオ放送（アナログ、デジタル）、ＢＳ放送（アナログ、デジタル）も受信する場合にはそれらのチューナ５２を備え、２つ以上のチューナ５２を備えるようにしてもよい。
【００５６】
ＤＥＭＵＸ部５３は、チューナ５２からＴＳパケットからなるＴＳ信号（つまり、送信側の放送局２のＭＵＸ部２４で映像や音声などの複数のストリームを多重化した放送データＤ）を、映像や音声などのストリームデータと、ＳＩ／ＰＳＩなどのセクション形式のデータとに分離する処理を行う。なお、ＤＥＭＵＸ部５３によって分離された各データは、デコード部５４に供給される。
【００５７】
デコード部５４は、ＤＥＭＵＸ部５３から供給された放送用コンテンツやＥＰＧ情報、データ放送などをデコードし、それぞれオーディオデータ、ビデオデータ、および番組データを生成する。デコードして生成されたオーディオデータは、上述の音声再生装置７に供給される。音声再生装置７は、供給されたオーディオデータに対してＤ／Ａ変換処理を行い、音声信号として出力する。また、デコード部５４は、デコードしたビデオデータおよび番組データを、映像／音声出力部５５へ供給する。映像／音声出力部５５に供給されたデータは、表示装置６および／または音声再生装置７に出力される。また、デコード部５４は、ネットワーク接続部５６から受信したデータをデコードし、映像／音声出力部５５に供給する。デコード部５４は、デコードしたこれらのデータを不図示の記憶部に供給して記憶させる。デコード部５４が記憶部に供給するデータは、映像信号、音声信号としてデコードせずに、データ信号としてそのまま供給するようにしてもよい。
【００５８】
映像／音声出力部５５は、供給された番組データを不図示のＲＡＭに格納する。映像／音声出力部５５は、番組データを描画することでＥＰＧ情報を生成する。そして、映像／音声出力部５５は、デコード部５４からのビデオデータに基づいた画面上に、ＥＰＧ情報に基づいた画面を合成した合成画面を生成し、表示装置６に送出する。表示装置６は、この合成画面を表示する。制御部５９からの記憶指示によりデコード部５４でデコードしたデータが不図示の記憶部に記憶される。なお、映像／音声出力部５５への出力方法は上記に限らず、番組データをＲＡＭに格納しないで表示装置６に直接出力させるようにしてもよい。また、映像／音声出力部５５は、ビデオデータに基づいた画面上に、ＥＰＧ情報に基づいた画面を合成した合成画面とせずに、ビデオデータのみの画面、またはＥＰＧ情報のみの画面を表示装置６にそれぞれ出力するようにしてもよい。
【００５９】
ネットワーク接続部５６は、ＩＰ通信網１０を介して放送局管理サーバ３または放送局ポータルサーバ４と通信を行う通信インターフェースである。ネットワーク接続部５６は、放送局ポータルサーバ４、または放送局管理サーバ３からのデータを受信し、デコード部５４に当該データを送る。
【００６０】
受信状況検出部５７は、制御部５９からの受信状況検出指示により、放送局２から送出される放送波の受信状況を検出する機能を有する。たとえば、受信状況検出部５７は、電界受信強度信号を生成できる電界受信強度信号生成回路（不図示）などから構成され、当該生成回路から得られる値が制御部５９に出力されるようにする。当該生成回路としては、たとえば公知のＲＳＳＩ（Ｒｅｃｅｉｖｅ  Ｓｉｇｎａｌ  Ｓｔｒｅｎｇｔｈ  Ｉｎｄｉｃａｔｉｏｎ）回路を備えさせ、当該ＲＳＳＩ回路から電界受信強度信号を得られるようにすることができる。なお、電界受信強度が検出できればどのような回路であってもよい。上述した電界受信強度信号生成回路から得られる電界受信強度信号を用いることで放送波の受信状況を検出することができる。その他にも受信状況検出部５７は、ＲＳＳＩ回路以外にも、Ｓメータ(Signal Meter)などで電波強度を取得できるようにしてもよい。また、受信状況検出部５７は、Ｓ／Ｎ比(SNR:Signal to Noise ratio)、マルチパス情報（Multipath Information）などを検出できるものでもよい。
【００６１】
登録情報記憶部５８は、当該受信装置５を使用して情報配信システム１を利用するユーザについての登録情報や当該受信装置５についての機器情報、および受信装置５の位置情報、および放送局情報を格納している。ここでいうユーザについての登録情報とは、当該情報配信システム１を利用可能なユーザと関連付けられ受信装置５に割り振られているＩＰアドレス、当該ユーザのユーザＩＤ、当該ユーザＩＤに関連付けられたパスワード、当該ユーザの住所、郵便番号、電話番号などの一部または全部である。また、当該受信装置５についての機器情報とは、当該受信装置５の機器ＩＤ情報（たとえば、受信装置５の製造メーカを識別するためのメーカコード、シリアル番号など）、機器種別情報（たとえば、受信装置５の型番情報など）、チューナ５２に関する情報（チューナＩＣ情報ＤＢ３８，４６に格納されている「チューナ情報識別」、「チューナ型番」、「チューナファームバージョン」に対応）などである。また、当該受信装置５の位置情報とは、自装置が設置されている場所の郵便番号、電話番号、住所、自装置に割り振られているＩＰアドレスの一部または全部である。また、当該受信装置５の放送局情報とは、受信状況検出部５７で検出された値、検出日時を示す情報、当該検出された値に対応する放送局２の名称情報、当該放送局２の周波数情報の一部または全部である。
【００６２】
受信装置５は、放送局２から送出される放送波に重畳される放送データＤにスクランブル処理がなされている場合には、当該スクランブルを解除するデスクランブラ部（不図示）を備えていてもよい。その場合、デスクランブラ部は、制御部５９のスクランブル解除指示により、チューナ５２で受信したＲＦ信号に重畳され、スクランブル処理を施されて伝送されてきたＴＳパケットからなるＴＳ信号を通常の信号へと解除する処理を行う。また、デスクランブラ部は、スクランブル処理が解除されたＴＳパケットからなるＴＳ信号を、ＤＥＭＵＸ部５３に供給する。
【００６３】
また、受信装置５は、放送局ポータルサーバ４からＴＳパケット形式でデータが送信されてきた場合には、以下の処理をするようにしてもよい。すなわち、制御部５９は、ＴＳパケット形式でコンテンツが放送局ポータルサーバ４から送信されてきた場合、制御部５９は、ネットワーク接続部５６で受信したＴＳパケットデータをＤＥＭＵＸ部５３に供給し、映像や音声などのストリームデータと、ＳＩ／ＰＳＩなどのセクション形式のデータとに分離し、デコード部５４により分離したデータをそれぞれデコードし、映像／音声出力部５５により表示装置６または音声再生装置７へ出力させるようにしてもよい。
【００６４】
（地域特定処理）
続いて、放送局管理サーバ３と受信装置５の間で実行される地域特定処理について説明する。図１０は、図１に示す受信装置５と放送局管理サーバ３との間で実行される地域特定処理のフローチャートである。
【００６５】
ＳＴＡＲＴ：受信装置５の制御部５９は、たとえば、ユーザが操作入力部５１を操作することにより操作入力指示が入力されると、以下の処理を開始する。なお、この地域特定処理は、ユーザが操作入力部５１を操作する以外にも、受信装置５と放送局管理サーバ３との通信が確立した場合に以下の処理が自動的に開始されるようにしてもよい。
【００６６】
ステップＳ１：制御部５９は、登録情報記憶部５８に格納されている当該受信装置５についての機器情報およびユーザについての登録情報を放送局管理サーバ３に対して送信する。具体的には、制御部５９は、当該受信装置５の機器情報、当該受信装置５に割り振られているＩＰアドレス情報、およびユーザの郵便番号情報を放送局管理サーバ３に対して送信する。
【００６７】
ステップＳ２：放送局管理サーバ３の制御部３９は、通信制御部３５を介してステップＳ１の情報を受信装置５から受信すると、当該受信装置５がどのような機器であるのかを判定する。具体的には、制御部３９は、チューナＩＣ情報ＤＢ３８（図６）を参照し、送信された機器情報から当該受信装置５のどのような受信装置５であるのかを特定する。制御部３９は、たとえば、受信装置５の機器情報から図６の例では機器種別が特定できた場合には、ステップＳ３の処理へ移行する。なお、制御部３９は、上述した特定方法以外に、受信装置５から送られてきた機種種別情報（例えば、受信装置５の型番情報など）から、どのような受信装置５であるのかを特定するようにしてもよい。
【００６８】
ステップＳ３：制御部３９は、当該受信装置５から送信されてきた位置情報の正当性について確認する処理を行う。具体的には、制御部３９は、位置情報変換ＤＢ３５（図４）を参照し、送信されてきた「ＩＰアドレス」情報から特定される位置情報と、同じく送信されてきた「郵便番号」情報から特定される位置情報とを比較し、「都道府県名」、「市区町村名」、「町域名」が一致するか否かにより、受信装置５から送信されてきた位置情報の正当性を確認する。なお、特定された位置を比較して両者が一致していると判定する方法としては、上記のように「都道府県名」、「市区町村名」、「町域名」が完全一致すれば両者は一致していると判定する方法以外にも、「都道府県名」、「市区町村名」が一致すれば両者は一致していると判定する方法、「都道府県名」のみ一致すれば両者は一致していると判定する方法が考えられるが、「ＩＰアドレス」情報から特定される地域の精度と「郵便番号」情報から特定される地域の精度の状況を考慮して適宜選択することが好ましい。
【００６９】
ステップＳ４：制御部３９は、ステップＳ３で比較した結果、受信装置５から送信されてきた位置情報の正当性が確認できた場合には、正当性が確認できた旨を受信装置５に対して送信し、正当性が確認できない場合には、正当性が確認できない旨を受信装置５に対して送信する。
【００７０】
ステップＳ５：受信装置の制御部５９は、ＩＰ通信網１０を介して放送局管理サーバ３から受信した正当性の確認結果を受信し、表示装置６にその確認結果を示す画面を表示し、処理を終了する（ＥＮＤ）。
【００７１】
このように、放送局管理サーバ３は、上述したステップＳ３の判定処理により、受信装置５から送信されてきたＩＰアドレス情報から求められる位置情報と郵便番号情報から求められる位置情報とを比較することで、受信装置が設置されているとされる地域情報の正当性を確認することができる。
【００７２】
続いて、放送局管理サーバ３と受信装置５の間で実行される周波数テーブル作成処理について説明する。図１１は、図１に示す受信装置５と放送局管理サーバ３との間で実行される周波数テーブル作成処理のフローチャートである。
【００７３】
ＳＴＡＲＴ：受信装置５の制御部５９は、図１０に示す地域特定処理が完了した後に以下の処理を開始する。なお、以下に説明する処理は、図１０に示す地域特定処理におけるステップＳ４の処理にと共に実行されるようにしてもよい。
【００７４】
ステップＳ６：制御部５９は、登録情報記憶部５８に格納されている当該受信装置５についての機器情報およびユーザについての登録情報を放送局管理サーバ３に対して送信する。具体的には、制御部５９は、当該受信装置５の機種情報、当該受信装置５に割り振られているＩＰアドレス情報、およびユーザの郵便番号情報を放送局管理サーバ３に対して送信する。
【００７５】
ステップＳ７：放送局管理サーバ３の制御部３９は、通信制御部３５を介してステップＳ６の情報を受信装置５から受信すると、位置情報変換ＤＢ３６を参照し、当該受信装置５から送信されてきた「郵便番号」情報と一致する「周波数」情報を抽出し、抽出された「周波数」に関連付けられている「放送局ＩＤ」の有無を確認し、「放送局ＩＤ」を有する「周波数」のみをさらに抽出する。この抽出処理により、受信装置５が設置されている地域において受信可能と設定されている放送局２のうち、放送局ポータルサーバ４が存在する放送局の周波数情報が抽出される。さらに、制御部３９は、抽出された「周波数」を周波数テーブルとして受信装置５へと送信する。ここで、異なる放送局２で同一の「周波数」情報が抽出された場合には、いずれか一つの「周波数」情報を周波数テーブルに含まれるようにしてもよい。この場合のいずれか一つの「周波数」情報を決定する方法としては、重複した「周波数」情報それぞれの「エリア区分」を参照し、受信可能エリア（０）に設定されている方を選択する、または単純に放送局ＩＤが若い（小さい）番号を選択するようにしてもよい。
【００７６】
ステップＳ８：受信装置５の制御部５９は、ステップ７において放送局管理サーバ３より送信されてきた周波数テーブルを受信すると、当該周波数テーブルを不図示の記憶部に記憶して処理を終了する（ＥＮＤ）。なお、当該周波数テーブルを登録情報記憶部５８に記憶するようにしてもよい。
【００７７】
（放送局ポータルサーバの有無判定処理）
続いて、放送局管理サーバ３と受信装置５との間で実行される、放送局２に対応する放送局ポータルサーバ４の有無判定処理について説明する。図１２は、図１に示す受信装置５と放送局管理サーバ３との間で実行される、放送局２に対応する放送局ポータルサーバ４の有無判定処理のフローチャートである。
【００７８】
ＳＴＡＲＴ：ユーザが操作入力部５１で所定の操作（以下の場合は視聴している放送番組を変更する選局指示操作）を行ったときに、受信装置５は以下の処理を開始する。
【００７９】
ステップＳ１１：受信装置５の制御部５９は、選局された放送局２に対応する放送局ポータルサーバ４の有無を確認するために、選局された放送局２に対応する「周波数」が、図１１で放送局管理サーバ３より受信して記憶した周波数テーブルのリストに存在するか否かの判定をする。制御部５９は、周波数テーブルのリストに存在する場合には（ステップ１１でＹＥＳ）、ステップＳ１２の処理へ移行し、存在しない場合には（ステップＳ１１でＮＯ）、ステップＳ２０の処理へ移行する。
【００８０】
ステップＳ１２：情報および自装置に設定された郵便番号情報を放送局管理サーバ３へ送信する。なお、このステップＳ１２において送信する情報は、たとえばラジオ放送の場合であれば、ＡＭやＦＭといったバンド種別を同時に送信するようにしてもよい。
【００８１】
ステップＳ１３：放送局管理サーバ３の制御部３９は、受信装置５から周波数情報および郵便番号情報を受信すると、全放送局情報ＤＢ３７（図５）に格納されている情報を参照して、受信した「周波数」情報および「郵便番号」情報から特定される「放送局ＩＤ」を検索する。そして、制御部３９は、全放送局情報ＤＢ３７（図５）を参照して「放送局ＩＤ」が検索された場合（ステップＳ１３でＹＥＳ）には、ステップＳ１４の処理へ移行し、全放送局情報ＤＢ３７（図５）を参照して「放送局ＩＤ」がなかった場合（ステップＳ１３でＮＯ）には、ステップＳ１６の処理へ移行する。
【００８２】
ステップＳ１４：制御部３９は、ステップＳ１３で検索された「放送局ＩＤ」情報を取得する。その後、制御部３９は、ステップＳ１４の処理が完了すると、ステップＳ１５の処理へ移行する。
【００８３】
ステップＳ１５：制御部３９は、全放送局情報ＤＢ３７（図５）を参照してステップＳ１４で取得した「放送局ＩＤ」に関連付けられている「放送局ポータルサーバＵＲＬ」情報を検索して取得すると共に、受信装置５へ送信する有無判定結果として、選局された放送局２に対応する放送局ポータルサーバ４がある旨と当該ＵＲＬ情報を設定する。その後、制御部３９は、ステップＳ１５の処理が完了すると、ステップＳ１７の処理へ移行する。
【００８４】
ステップＳ１６：制御部３９は、選局された放送局２に対応する放送局ポータルサーバ４がない旨を受信装置５へ送信する有無判定結果として設定する。その後、制御部３９は、ステップＳ１６の処理が完了すると、ステップＳ１７の処理へ移行する。
【００８５】
ステップＳ１７：制御部３９は、ステップＳ１５で設定された判定結果情報（選局された放送局２に対応する放送局ポータルサーバ４があり、かつ当該放送局ポータルサーバ４に接続するためのＵＲＬ情報）、またはステップＳ１６で設定された判定結果情報（選局された放送局２に対応する放送局ポータルサーバ４がない旨）を受信装置５へ送信する。
【００８６】
ステップＳ１８：受信装置５の制御部５９は、ステップＳ１７で放送局管理サーバ３が送信してきた判定結果情報を受信し、当該判定結果情報として、選局された放送局２に対応する放送局ポータルサーバ４があり、かつ当該放送局ポータルサーバ４に接続するためのＵＲＬ情報を受信した場合には（ステップＳ１８でＹＥＳ）、ステップＳ１９の処理へ移行し、選局された放送局２に対応する放送局ポータルサーバ４がない旨を受信した場合には、ステップＳ２０の処理へ移行する。
【００８７】
ステップＳ１９：受信装置５の制御部５９は、ステップＳ１８で受信した判定結果情報に含まれるＵＲＬ情報に基づいて放送局ポータルサーバ４へ接続する（ＥＮＤ）。
【００８８】
ステップＳ２０：受信装置５の制御部５９は、選局された放送局２に対応する「周波数」が、周波数テーブルのリストに存在しない場合（ステップＳ１１でＮＯ）、ステップＳ１８で受信した判定結果情報から放送局ポータルサーバ４が存在しない場合には、放送局ポータルサーバ４からコンテンツを取得できないため、放送局２からコンテンツを受信し、出力する（ＥＮＤ）。
【００８９】
なお、有無判定処理が開始される所定の操作としては、その他にもたとえば、ユーザが現在視聴している放送コンテンツの受信方法をＩＰ通信網１０経由に切り替える操作をした場合、ユーザが受信装置５の電源をＯＮにし、受信装置５と放送局管理サーバ３との通信が確立されていない状態から確立された状態へと変更する操作をした場合としてもよい。
【００９０】
また、この放送局ポータルサーバ４の有無判定処理は、視聴している番組の選局が変更されるたびに実行される処理として説明したが、その他にも一度有無判定処理が実行された放送局２については、受信装置５の電源が切られるまで（または有無判定処理が実行されてから所定時間内まで）、放送局管理サーバ３より送信されてきた判定結果に基づいて放送局ポータルサーバ４または放送局２のいずれかをコンテンツの取得先として決定するようにしてもよい。
【００９１】
また、図１１で作成された周波数テーブルの作成日時情報について予め記憶しておき、ステップＳ１１において、周波数テーブルの作成日時から所定時間が経過していた場合には、図１１に示した周波数テーブル作成処理を再度実行してから、選局された放送局２に対応する「周波数」が、周波数テーブルのリストに存在するか否かを判定するようにしてもよい。
【００９２】
続いて、図１２のステップＳ１８の処理後に受信装置５と放送局ポータルサーバ４との間で実行されるコンテンツ配信処理について説明する。図１３は、図１に示す受信装置５と放送局ポータルサーバ４との間で実行されるコンテンツ配信処理のフローチャートである。
【００９３】
ＳＴＡＲＴ：受信装置５の制御部５９は、図１２に示すステップＳ１８の処理が完了すると、以下の処理を開始する。
【００９４】
ステップＳ２１：制御部５９は、自装置に設定された郵便番号情報、機器情報、チューナ情報を放送局ポータルサーバ４へ送信する。このステップＳ２１で送信される情報に含まれるチューナ情報とは、登録情報記憶部５８に記憶されている機器情報に含まれるチューナ５２に関する情報および放送局情報を指している。
【００９５】
ステップＳ２２：放送局ポータルサーバ４の制御部４７は、ステップＳ２１で受信装置５より送信された郵便番号情報、機器情報、チューナ情報を受信すると、放送局情報ＤＢ４４（図８）を参照して、放送局２の「受信レベル条件」を取得する。具体的には、制御部４７は、郵便番号情報から「エリア区分」を特定し、たとえば放送局情報ＤＢ４４（図８）の「エリア区分」が０（受信可能エリア）であった場合には、「エリア区分」が０である場合の「受信レベル条件」を取得する。図８に示した例では、「エリア区分」が０の「受信レベル条件」は、電界強度０．２５ｍＶ／ｍとして記憶されているため、この数値を取得する。その後、制御部４７は、ステップＳ２２の処理が完了すると、ステップＳ２３の処理へ移行する。
【００９６】
ステップＳ２３：制御部４７は、チューナＩＣ情報ＤＢ４６（図６に相当する）を参照して、ステップＳ２２で受信した機器情報に関連付けられているチューナ情報を取得する。具体的には、制御部４７は、受信装置５から送信されてきた機器情報から受信装置５の「受信装置メーカコード」および「受信装置型番」を抽出すると共に、チューナＩＣ情報ＤＢ４６を参照して、抽出した情報と一致するチューナ情報を取得する。その後、制御部４７は、ステップＳ２３の処理が完了すると、ステップＳ２４の処理へ移行する。
【００９７】
ステップＳ２４：制御部４７は、ステップＳ２２で得た「受信レベル条件」とステップＳ２３で取得したチューナ情報に基づいて受信可否判定処理を行う。この受信可否判定処理では、受信装置５において放送が実際に受信できているか否かを判定する。たとえば、受信装置５が放送局ポータルサーバ４に接続した後、機器情報から当該受信装置５が具備しているチューナ情報が判別できる。そして、当該チューナ情報に含まれているＲＳＳＩおよびＳ／Ｎ比と、受信装置５の設置されている地域での受信レベル条件とを比較する。たとえば、受信装置５の設置されている地域の「エリア区分」が０（受信可能エリア）の場合には、「受信レベル条件」は０．２５ｍＶ／ｍであることが分かるため、この受信レベル条件におけるＲＳＳＩおよびＳ／Ｎ比の値がある閾値の条件をそれぞれ満たしていれば、放送局２の放送波を受信できていると判定する。なお、ＲＳＳＩとＳ／Ｎ比のそれぞれの閾値は、図示しないが放送局ポータルサーバ４に備わっているプログラム内の固定値で判定しても良いし、チューナＩＣ情報ＤＢ４６に予め当該閾値が格納されており、取得するようにしてもよい。
【００９８】
ステップＳ２５：制御部４７は、ステップＳ２４の受信可否判定処理において受信可能と判定した場合には（ステップＳ２５でＹＥＳ）、ステップＳ３４の処理へ移行し、受信不可能と判定した場合には（ステップＳ２５でＮＯ）、ステップＳ２６の処理へ移行する。
【００９９】
ステップＳ２６：制御部４７は、放送局情報ＤＢ４４（図８）を参照して、受信装置５より送信された郵便番号情報と一致するエリア区分を取得する。制御部４７は、ステップＳ２６の処理が完了すると、ステップＳ２７の処理へ移行する。
【０１００】
ステップＳ２７：制御部４７は、ステップＳ２６で取得したエリア区分がフリンジエリアであるか否かを判定する。制御部４７は、ステップＳ２６で取得したエリア区分がフリンジエリアである場合には（ステップＳ２７でＹＥＳ）、ステップＳ２８の処理へ移行し、フリンジエリアでない場合には（ステップＳ２７でＮＯ）、受信装置５の位置は受信可能地域ではあるが難視聴地域であると判定し、ステップＳ３０の処理へ移行する。なお、制御部４７は、ステップＳ２６で取得したエリア区分がフリンジエリアである場合には（ステップＳ２７でＹＥＳ）、ステップＳ２８およびステップＳ２９の処理を実行せずにステップＳ３０の処理へ移行するようにしてもよい。すなわち、制御部４７は、受信装置５が設置されている場所がフリンジエリアと判定された場合には、無条件にコンテンツの配信を不可とする処理としてもよい。
【０１０１】
ステップＳ２８：制御部４７は、放送局情報ＤＢ４４（図８）を参照して、フリンジエリア（エリア区分が１）の受信レベル条件の値を取得して、上述したステップＳ２４の処理と同様の受信可否判定処理を実行する。
【０１０２】
ステップＳ２９：制御部４７は、ステップＳ２８の受信可否判定処理で受信可能と判定した場合には（ステップＳ２９でＹＥＳ）、ステップＳ３１の処理へ移行し、受信不可能と判定した場合には（ステップＳ２９でＮＯ）、ステップＳ３０の処理へ移行する。
【０１０３】
ステップＳ３０：制御部４７は、受信装置５に放送局ポータルサーバ４が提供するコンテンツの配信が不可である旨を設定する。その後、制御部４７は、ステップＳ３０の処理が完了すると、ステップＳ３２の処理へ移行する。
【０１０４】
ステップＳ３１：制御部４７は、ステップＳ２５で受信可能と判定した場合、ステップＳ２７で受信装置５の位置は受信可能地域ではあるが難視聴地域であると判定した場合、およびステップＳ２９で受信可能と判定した場合に、受信装置５に放送局ポータルサーバ４が提供するコンテンツの配信が可能である旨を設定する。その後、制御部４７は、ステップＳ３１の処理が完了すると、ステップＳ３２の処理へ移行する。
【０１０５】
ステップＳ３２：制御部４７は、ステップＳ３０またはステップＳ３１の処理が完了すると、判定結果を受信装置５へ送信する。
【０１０６】
ステップＳ３３：受信装置５の制御部５９は、ステップＳ３２で放送局ポータルサーバ４から送信された判定結果を受信すると、当該判定結果がコンテンツの配信が可能であるか否かを判定する。制御部５９は、受信した判定結果からコンテンツ配信が可能である場合には（ステップＳ３３でＹＥＳ）、ステップＳ３４の処理へ移行し、コンテンツ配信が不可である場合には（ステップＳ３３でＮＯ）、ステップＳ３６の処理へ移行する。
【０１０７】
ステップＳ３４：制御部５９は、放送局ポータルサーバ４へコンテンツ配信要求を行い、コンテンツを取得する。その後、制御部５９は、ステップＳ３４の処理が完了すると、ステップＳ３５の処理へ移行する。
【０１０８】
ステップＳ３５：制御部５９は、ステップＳ３４で取得したコンテンツを出力し、処理を終了する（ＥＮＤ）
【０１０９】
ステップＳ３６：制御部５９は、ステップＳ３３で放送局ポータルサーバ４からのコンテンツ配信が不可であると判定されたため、放送局２からコンテンツを受信すると共に、出力し、処理を終了する（ＥＮＤ）。
【０１１０】
このような受信装置５および当該受信装置５が実行する情報受信方法は、放送局管理サーバ３との間で図１０に示した地域特定処理により受信装置５が設置されている地域が特定され、図１１に示した周波数テーブル作成処理により、放送局ポータルサーバ４を有する放送局２の周波数テーブルが予め受信装置５側で保持された上で、当該周波数テーブルに存在する周波数が選局された場合にのみ、図１２に示した放送局２に対応する放送局ポータルサーバ４の有無判定処理により、放送局ポータルサーバ４の有無および当該サーバへの接続先情報が提供され、これらの処理後に放送局ポータルサーバ４との間で図１３に示したコンテンツ配信処理により、実際の放送局２からの放送波の受信状況を考慮してコンテンツ配信がなされる。このような方法により、受信装置５は、選局された放送局２に対応する放送局ポータルサーバ４が存在する場合にのみ放送局管理サーバ４へ問い合わせをするため、受信装置５の数が多い場合や、受信装置５を使用するユーザが頻繁に選局する操作などをしても、周波数テーブルに周波数が存在しない場合には放送局管理サーバ４へ問い合わせることがなく、放送局管理サーバ４への負荷が軽減される。
【０１１１】
なお、周波数テーブルを受信装置５側に保持しないで、放送局管理サーバ４へ逐一問い合わせて、コンテンツの取得先を決定する方法も考えられるが、この方法の場合には次のような理由から直ちに放送局２からコンテンツを受信して出力して良いか否かを判断することは困難である。その理由として、放送局管理サーバ４や放送局ポータルサーバ３へ接続してＩＰ通信網１０経由でコンテンツを取得するまでの間に、チューナ５２で受信したコンテンツを出力するようにした場合には、ＩＰ通信網１０経由で取得したコンテンツが出力できるまでの間隔がそれほど長くない場合は、一瞬だけチューナ５２で受信したコンテンツが出力され、その後ただちにＩＰ通信網１０経由で取得したコンテンツが出力されると、一瞬だけ出力されたチューナ５２で受信したコンテンツはノイズが発生したように聞こえる懸念がある。この懸念を解消するために、周波数変更時にＩＰ通信網１０経由で取得したコンテンツの視聴ができるか否かが確定するまでは、チューナ５２で受信したコンテンツを出力しないようにすることもできるが、放送局２がＩＰ通信網１０経由でコンテンツを提供していない場合は、チューナ５２で受信したコンテンツの出力が遅延してしまうことに繋がってしまう。この点、本願発明では、周波数テーブルに記載されている周波数を選局した場合のみ、ＩＰ通信網１０経由で提供されるコンテンツの視聴ができるか否かが確定するまでは、チューナ５２で受信したコンテンツの出力を抑止し、周波数テーブルに記載されていない周波数が選局された場合には、ただちにチューナ５２で受信したコンテンツの出力ができるため、上記の懸念を解消できる。また、放送局管理サーバ４が周波数テーブルを作成する際において、仮に異なる放送局で同一の周波数が抽出された場合においても、エリア区分を判断して、いずれかの放送局２の周波数を周波数テーブルに含ませることができる。
【０１１２】
したがって、受信装置５および当該受信装置５が実行する情報受信方法は、地域を限定して配信されるコンテンツであっても適切に受信することができる。また、上述した情報配信システム１に含まれる放送局管理サーバ３、放送局管理サーバ３が実行する情報配信方法、放送局ポータルサーバ４、放送局ポータルサーバ４が実行する情報配信方法は、地域を限定して配信されるコンテンツを受信装置５に対して適切に受信させることができる。
【０１１３】
以上、情報配信システム１を本発明の一実施例として説明したが、本発明は、これに限定されるものではなく、発明の要旨を逸脱しない範囲において種々の変形や変更が可能である。たとえば上述した実施例および変形例では、受信装置５は、放送局管理サーバ３との間で地域特定処理を実行し、放送局ポータルサーバ４との間で、コンテンツ配信処理を実行するようにしていたが、その他にも放送局管理サーバ３が実行する処理の一部または全部を放送局ポータルサーバ４が実行できるように構成してもよいし、放送局ポータルサーバ４が実行する処理の一部または全部を放送局管理サーバ３が実行できるように構成してもよい。たとえば、放送局ポータルサーバ４において地域特定処理が実行されてもよいし、放送局管理サーバ３において、コンテンツ配信処理の一部である放送局２の受信可否判定処理（図１３のステップＳ２２〜ステップＳ３２）が実行されるように構成してもよい。
【０１１４】
また、上述したコンテンツ配信処理（図１３）を図１４に示すコンテンツ配信処理としてもよい。すなわち、放送局ポータルサーバ４は、受信装置５から受信した情報を放送局管理サーバ３へ送信する（ステップＳ６２）。そして、受信可否判定処理の一部（図１３のステップＳ２２〜ステップＳ２４に相当し、図１４ではステップＳ６３〜ステップＳ６５）を放送局管理サーバ３が実行し、放送局管理サーバ３から当該実行結果を放送局ポータルサーバ４へ送信させる（ステップＳ６６）。そして、放送局ポータルサーバ４は、実行結果から受信可能と判断された場合に残りの受信可否判定処理（図１３のステップＳ２５〜ステップＳ３２に相当し、図１４ではステップＳ６７〜ステップＳ７４）を実行するようにしてもよい。図１４に示したコンテンツ配信処理における受信装置５側の処理（ステップＳ６１、ステップＳ７５〜ステップＳ７８）は、詳細に説明しないが、上述したコンテンツ配信処理（図１３のステップＳ２１、ステップＳ３３〜ステップＳ３６）と同様の処理である。なお、この図１４に示すコンテンツ配信処理とした場合において、ステップＳ７０およびステップＳ７１の処理を実行しないようにしてもよい。すなわち、放送局管理サーバ３から受信不可として通知された際、受信装置５の位置する場所がフリンジエリアと判定された場合には、無条件にコンテンツの配信を不可とする処理としてもよい。
【０１１５】
また、上述した実施例および変形例における放送局ポータルサーバ４は放送局２が提供するコンテンツを有する装置として説明したが、必ずしも放送局ポータルサーバ４が放送局２の提供するコンテンツを有する装置としなくてもよい。たとえば、放送局ポータルサーバ４は放送局２が提供するコンテンツを一切有さずに、放送局２が提供するコンテンツを配信するコンテンツ配信サーバが放送局ポータルサーバ４とは別に独立して構成され、受信装置５はＩＰ通信網経由１０で提供されるコンテンツ配信可否判定のみを放送局ポータルサーバ４との間で実行し、当該実行結果により配信許可となった場合に、当該放送局ポータルサーバ４からコンテンツ配信サーバの接続先情報を取得し、当該接続先情報に基づいてコンテンツ配信サーバへ接続し、コンテンツ配信要求をするようにしてもよい。
【０１１６】
また、上述した図１１で説明した周波数テーブル作成処理において、受信装置５へ周波数テーブルを送信する際に、全放送局ＤＢ３７のテーブルから「周波数」に対応する「放送局ＩＤ」から「放送局ポータルサーバＵＲＬ」を特定し、当該「放送局ポータルサーバＵＲＬ」と「周波数」を関連付けて受信装置５へ送信し、受信装置５側で保持するようにしてもよい。これにより、図１２のステップＳ１１において、選局中の放送局２の周波数が周波数テーブルに存在するときは、放送局管理サーバ３へ問い合わせることなく、放送局ポータルサーバ４へ直接接続することが可能となる。
【０１１７】
また、上述した実施例および変形例における受信装置５は据え置き型にて使用されることを前提としているが、移動体型の受信装置５であってもよい。その場合には、郵便番号等を使用しても地域特定が困難であるため、受信装置５にＧＰＳ機能を備えさせたものとする。そして、放送局管理サーバ３では、図１５に示すような緯度経度情報から位置が特定できる緯度経度変換テーブルを位置情報変換ＤＢ３６に追加する。そして、移動体型の受信装置５は、現在位置を示す緯度経度情報をＧＰＳ機能により取得し、受信装置５のＩＰアドレス情報と共に放送局管理サーバ３に送信する。そして、放送局管理サーバ３側では、緯度経度変換テーブルが追加された位置情報変換ＤＢ３６を参照し、移動体型の受信装置５から送信されてきた緯度経度情報から特定される地域と、ＩＰアドレス情報から特定される地域とを比較することで、移動体型の受信装置５のいる地域を特定する。なお、移動体型の受信装置５における地域特定処理以外の処理（コンテンツ配信処理）については、上述した実施例および変形例と同一であるため、その説明を省略する。
【０１１８】
また、上述した実施例および変形例において、受信装置５での放送局２の受信感度を検出する方法として、電界受信強度により受信感度を検出していたが、その他にも受信誤り率を検出できる受信誤り率検出回路（不図示）を受信装置５に設け、当該受信誤り率検出回路から所定の基準値を超えた場合に検出信号が発生するように構成し、当該検出信号の有無を放送局ポータルサーバ４へ送信するようにしてもよい。なお、受信誤り率により放送局２の受信感度を検出する方法の場合には、放送局管理サーバ３の全放送局情報ＤＢ３７においては、放送局２の放送範囲内での標準的な受信誤り率を予め記憶しておくと共に、チューナＩＣ情報ＤＢ３８においては、受信装置５毎の受信誤り率乗算用係数を予め記憶し、これらの情報から受信可否判定処理を行うことが好ましい。
【０１１９】
また、ステップＳ２１の送信処理において、受信装置５の機種毎に異なる情報を送信するようにしてもよい。たとえば、受信装置５Ａの場合は、チューナ情報としてＲＳＳＩとＳ／Ｎ比を送信するが、受信装置５Ｂの場合は、Ｓメータ(Signal Meter)とマルチパス情報（Multipath Information）を送信するといったように受信装置５の機種毎に異なる情報を送信するようにしてもよい。
【０１２０】
また、上述した実施例および変形例では、受信装置５は、放送局管理サーバ３との間で地域特定処理を実行し、放送局ポータルサーバ４との間で、コンテンツ配信処理を実行するようにしていたが、その他にも放送局管理サーバ３が実行する処理の一部または全部を放送局ポータルサーバ４が実行できるように構成してもよいし、放送局ポータルサーバ４が実行する処理の一部または全部を放送局管理サーバ３が実行できるように構成してもよい。たとえば、放送局ポータルサーバ４において地域特定処理が実行されてもよいし、放送局管理サーバ３において、コンテンツ配信処理の一部である放送局２の受信可否判定処理（図１３のステップＳ２２〜ステップＳ３２）が実行されるように構成してもよい。
【０１２１】
また、上述した実施例および変形例では、放送局ポータルサーバ４からコンテンツをダウンロードするクライアントサーバ型のネットワーク方式を採用していたが、Ｐ２Ｐ（Ｐｅｅｒ  Ｔｏ  Ｐｅｅｒ）型のネットワーク方式を採用してもよい。この場合、放送局ポータルサーバ４に対するコンテンツの要求を検索クエリとして情報配信システム１内に含まれる放送局ポータルサーバ４または放送局管理サーバ３などに対してブロードキャスト送信すると共に、当該受信状況を示す情報も送信し、受信状況を示す情報が基準値を満たす場合に限り、当該コンテンツを保有するピア（コンピュータ）の情報を伝え、当該ピアからコンテンツをダウンロードするようにしてもよい。
【０１２２】
また、上述した実施例および変形例で説明した各装置の備える機能のすべてまたは一部をプログラムによって構成し、このプログラムを情報処理装置（コンピュータ）にインストールすることで上述した各装置の備える機能を実現する手段としてもよい。特に、上述した実施例および変形例で説明した放送局管理サーバ３、放送局ポータルサーバ４、受信装置５の備える機能のすべてまたは一部をプログラムによって構成し、このプログラムを情報処理装置（コンピュータ）にインストールすることで上述した放送局管理サーバ３、放送局ポータルサーバ４、受信装置５の備える機能を実現する手段としてもよい。なお、このプログラムを実行可能な状態で記録した情報記録媒体からコンピュータに直接インストールすることも可能であるが、ネットワーク経由で遠隔にあるコンピュータにインストールしてもよい。このようなプログラムは、地域を限定して配信されるコンテンツであっても適切に受信することができる。
【符号の説明】
【０１２３】
１・・・情報配信システム、２・・・放送局、３・・・放送局管理サーバ（第１の情報配信装置の一例）、４・・・放送局ポータルサーバ（第２の情報配信装置の一例）、５,５Ａ,５Ｂ・・・受信装置（情報受信装置の一例）、６・・・表示装置、７・・・音声再生装置、１０・・・ＩＰ通信網（放送局の放送波とは異なる他の通信媒体の一例）、２１・・・コンテンツストリーム作成部、２２・・・情報作成部、２３・・・データ放送作成部、２４・・・ＭＵＸ部、２５・・・放送用コンテンツＤＢ、２６・・・放送用スケジュールＤＢ、２７・・・データ放送用コンテンツＤＢ、２８・・・制御部、２９・・・記憶部、３１・・・機器認証部、３２・・・地域特定処理部、３３・・・周波数情報提供部、３４・・・ポータルサーバ特定部（情報配信装置特定部の一部の一例、接続情報送信部一部の一例）、３５・・・通信制御部（受信部、第１の受信部、第２の受信部、第３の受信部の一例、受信可否判定結果送信部の一例）、３６・・・位置情報変換ＤＢ、３７・・・全放送局情報ＤＢ、３８・・・チューナＩＣ情報ＤＢ、３９・・・制御部（情報配信装置特定部の一例、接続情報送信部の一例、受信可否判定部の一例）、４０・・・記憶部、４１・・・配信可否判定部（配信可否判定部の一部の一例）、４２・・・コンテンツ生成部、４３・・・通信制御部（情報配信要求受信部の一例、第１の送信部の一例、第２の送信部の一例）、４４・・・放送局情報ＤＢ、４５・・・コンテンツＤＢ、４６・・・チューナＩＣ情報ＤＢ、４７・・・制御部（配信可否判定部の一例、情報提供部の一例、地域判定部の一例、受信状況要求部の一例）、４８・・・記憶部（情報記憶部の一例）、５１・・・操作入力部（周波数指定部の一例）、５２・・・チューナ（放送波受信部の一例）、５３・・・ＤＥＭＵＸ部、５４・・・デコード部、５５・・・映像／音声出力部、５６・・・ネットワーク接続部（通信部の一例）、５７・・・受信状況検出部、５８・・・登録情報記憶部、５９・・・制御部（周波数情報取得部の一例、周波数有無判定部の一例、情報取得先決定部の一例、情報取得部の一例、）
【図１】
2011223417.tif 000003
【図２】
2011223417.tif 000004
【図３】
2011223417.tif 000005
【図４】
2011223417.tif 000006
【図５】
2011223417.tif 000007
【図６】
2011223417.tif 000008
【図７】
2011223417.tif 000009
【図８】
2011223417.tif 000010
【図９】
2011223417.tif 000011
【図１０】
2011223417.tif 000012
【図１１】
2011223417.tif 000013
【図１２】
2011223417.tif 000014
【図１３】
2011223417.tif 000015
【図１４】
2011223417.tif 000016
【図１５】
2011223417.tif 000017